(57)【要約】【課題】浮体の傾きを抑制して、浮体をガイド柱部に沿って円滑に上昇させることが可能な水害避難設備を提供することを目的とする。【解決手段】水位の上昇に伴って浮上可能な避難デッキ１０を備えた水害避難設備１であって、地盤に固定され鉛直方向に延在するガイド柱部２と、地盤上に配置され上下方向に延在する複数の支柱５を、ガイド柱部２の周囲に有する下部架台３と、当該下部架台３上に配置され、上下方向に延在する複数の支柱６を有すると共に、ガイド柱部２が挿通される貫通孔が形成された上部架台４と、を備える構成とする。上部架台４は、下部架台３側に配置された下部フロート７と、複数の支柱６によって下方から支持され下部フロート７と上方に離間して配置された上部フロートと、を有する構成とする。【選択図】図６
2014095228.tif 000002
【特許請求の範囲】
【請求項１】
水位の上昇に伴って浮上可能な避難デッキを備えた水害避難設備であって、
地盤に固定され鉛直方向に延在するガイド柱部と、
地盤上に配置され上下方向に延在する複数の支柱を前記ガイド柱部の周囲に有する下部架台と、
前記下部架台上に配置され、上下方向に延在する複数の支柱を有すると共に、前記ガイド柱部が挿通される貫通孔が形成された上部架台と、
を備え、
前記上部架台は、前記下部架台側に配置された浮体である下部フロートと、
複数の支柱によって下方から支持され前記下部フロートと上方に離間して配置された浮体であり、天面に避難デッキが形成された上部フロートと、
を有し、浮上可能であることを特徴とする水害避難設備。
【請求項２】
前記上部架台は、前記下部架台と分離され、前記ガイド柱部に沿って浮上可能であることを特徴とする請求項１に記載の水害避難設備。
【請求項３】
前記下部フロートの最高位置を規制可能な最高位置規制部を更に備えることを特徴とする請求項１または２に記載の水害避難設備。
【請求項４】
前記上部架台に形成された前記貫通孔の内周面には、前記ガイド柱部と当接可能な防舷材が設けられていることを特徴とする請求項１〜３の何れか１項に記載の水害避難設備。
【請求項５】
前記上部フロートは、前記下部フロートを備えた下部架台本体と分離されて水面上を浮遊可能であることを特徴とする請求項１〜４の何れか１項に記載の水害避難設備。
【請求項６】
前記上部フロートは、前記ガイド柱部または地盤と線状体によって連結された係留浮体として浮遊可能であることを特徴とする請求項５に記載の水害避難設備。
【発明の詳細な説明】
【技術分野】
【０００１】
本発明は、例えば津波などの水害を受けた際に、水位に応じて浮上する避難デッキを備えた水害避難設備に関する。
【背景技術】
【０００２】
従来、このような分野の技術として、避難者を収容した浮体が、水害時の水位変動につれて、ポールに沿って上昇又は下降する水害避難タワーが知られている（例えば、特許文献１）。また、この水害避難タワーでは、水の流れに応じて浮体がポールの外周面に沿って回転できるように構成されている。
【先行技術文献】
【特許文献】
【０００３】
【特許文献１】特開２００８−１７４９１９号公報
【特許文献２】特開２００６−１１２０８９号公報
【発明の概要】
【発明が解決しようとする課題】
【０００４】
しかしながら、上記の特許文献１，２に記載の技術では、例えば大きな津波を受けて浮上体が傾いた場合には、浮上体が支柱（ガイド柱部）の軸線方向に対して傾斜するので、浮上体が水位に伴って円滑に上昇しないおそれがある。本発明は、浮上体の傾きを抑制して、浮上体をガイド柱部に沿って円滑に上昇させることが可能な水害避難設備を提供することを目的とする。
【課題を解決するための手段】
【０００５】
本発明の水害避難設備は、水位の上昇に伴って浮上可能な避難デッキを備えた水害避難設備であって、地盤に固定され鉛直方向に延在するガイド柱部と、地盤上に配置され上下方向に延在する複数の支柱を、ガイド柱部の周囲に有する下部架台と、当該下部架台上に配置され、上下方向に延在する複数の支柱を有すると共に、ガイド柱部が挿通される貫通孔が形成された上部架台と、を備え、当該上部架台は、下部架台側に配置された浮体である下部フロートと、複数の支柱によって下方から支持され前記下部フロートと上方に離間して配置された浮体であり、天面に避難デッキが形成された上部フロートと、を有し、浮上可能であることを特徴とする。
【０００６】
このように構成された水害避難設備では、地盤上に配置され上下方向に延在する複数の支柱を有する下部架台を備え、この下部架台上に上部架台が設けられている。下部架台は、地盤上に配置された複数の支柱を有する構成であるので、支柱の間を通るように水を通過させることができ、水位が低い状態において上部架台への水及び漂流物による影響を防止することができる。例えば、津波が襲来した初期の状態において、上部架台への津波の影響を防ぐことができる。津波によって流されてきた漂流物を通過させることができるので、上部架台の避難デッキへの津波の影響を防ぐことができる。
【０００７】
また、上部架台には、上下方向に離間して下部フロートと、上部フロートとが設けられているので、上部フロートと下部フロートとの間を通るように水を通過させることができ、上下のフロートによって浮力を生じさせることができる。これにより、上部架台の傾きを抑制することができるので、円滑に上部架台を上昇させることができる。
【０００８】
上部架台は、下部架台と分離され、ガイド柱部に沿って浮上可能である構成でもよい。
【０００９】
下部フロートの最高位置を規制可能な最高位置規制部を更に備えることが好ましい。これにより、ガイド柱部に対する下部フロートの最高位置を規制し、この最高位置を超えて下部フロートが上昇しないようにすることができる。
【００１０】
上部架台に形成された貫通孔の内周面には、ガイド柱部と当接可能な防舷材が設けられていることが好適である。これにより、上部架台に形成された貫通孔の内周面とガイド柱部との間の衝撃を緩和することができる。
【００１１】
また、上部フロートは、下部フロートを備えた下部架台本体と分離されて水面上を浮遊可能であることが好ましい。これにより、ガイド柱部の高さを超えるような想定外の水位となった場合であっても、上部フロートを下部架台本体から分離して浮遊させることができるので、避難デッキ上の人員の遭難を回避することができる。
【００１２】
また、上部フロートは、ガイド柱部または地盤とフレキシブル索によって連結された係留浮体として浮遊可能である構成でもよい。これにより、下部架台本体から分離した上部フロートが遠くに流されてしまうことを防止することができる。
【発明の効果】
【００１３】
本発明によれば、上部架台に上部フロート及び下部フロートが設けられているので、上部架台の傾きを抑制して、ガイド柱部に沿って上部架台を円滑に上昇させることができる。
【図面の簡単な説明】
【００１４】
【図１】本発明の実施形態に係る津波避難設備を示す断面図である。
【図２】津波避難設備の上部架台が水面上に浮上している状態を示す断面図である。
【図３】本発明の実施形態に係る津波避難設備を示す斜視図である。
【図４】津波避難設備の上部架台が水面上に浮上している状態を示す斜視図である。
【図５】上部フロートを備えた避難デッキが上部架台本体と分離されて、水面上を浮遊している状態を示す斜視図である。
【図６】津波襲来時における津波避難設備の状態の変化を示す概略図である。
【発明を実施するための形態】
【００１５】
以下、本発明による水害避難設備の好適な実施形態について図面を参照しながら説明する。なお、図面の説明において、同一または相当要素には同一の符号を付し、重複する説明は省略する。本実施形態では、水害避難設備である津波避難設備について説明する。
【００１６】
図１〜図６に示す津波避難設備１は、例えば、沿岸部などに設置され、津波から逃れるために人々が避難することが可能な設備である。津波避難設備１は、地盤１００に固定され鉛直方向に延在するガイドマスト２（ガイド柱部）、地盤１００上に配置された下部架台３、及びこの下部架台３上に配置され、水位の上昇に伴いガイドマスト２に沿って浮上可能な上部架台４を備えている。避難者が避難する避難デッキ１０は、上部架台４の天面に設けられている。また、津波避難設備１には、避難者が避難デッキ１０まで上るための階段１３などが設けられている。
【００１７】
津波避難設備１は、図１及び図２に示すように、地盤１００の基準面１００ａよりも少し高いマウント部１００ｂに設けられている。マウント部１００ｂは、盛土によって形成されている。マウント部１００ｂは、基準面１００ａより３ｍ程度高くなっている。津波避難設備１は、マウント部１００ｂ上に配置されていないものでもよい。
【００１８】
ガイドマスト２の下端部は、地盤１００に埋設されている。地盤１００に掘削孔１０１が形成され、この掘削孔１０１にガイドマスト２の下端部が挿入されている。ガイドマスト２は、例えば鋼製の円柱部材によって形成されている。ガイドマスト２は、その他の断面形状を有する柱部材、及び筒体でもよい。ガイドマスト２の高さは、想定される津波の高さに対応して設定されている。ガイドマスト２の高さは、例えば２５ｍとすることができる。
【００１９】
下部架台３は、平面視においてガイドマスト２を中心として対象に形成されている。下部架台３には、上下方向に延在する複数の支柱５が設けられている。支柱５の下端部は、地盤１００に形成された掘削孔１０２に挿入されて埋設されている。本実施形態では、８本の支柱５がガイドマスト２を中心として対象に配置されている。複数の支柱５は、ガイドマスト２の周囲に所定の間隔で配置されている。支柱５の高さは、基準面１００ａから８ｍとすることができる。
【００２０】
下部架台３は、図４に示すように、複数の支柱５の上端部を連結する外周部材３１を備えている。外周部材３１は、隣接する支柱５の上端部を連結している。本実施形態では、外周部材３１は、例えば、正八角形を形成し、この正八角形の角に対応して支柱５が配置されている。
【００２１】
また、下部架台３は、複数の支柱５の上端部とガイドマスト２とを各々連結する複数の連結部材３２を備えている。連結部材３２の一端側は、ガイドマスト２に固定され、連結部材３２の他端側は、支柱５の上端部に固定されている。連結部材３２は、平面視においてガイドマスト２から放射状に延びるように配置されている。外周部材３１及び連結部材３２は、同一の高さに配置されて、下部架台３の上端部を形成している。支柱５、外周部材３１、及び連結部材３２は、例えば、溶接によって固定されていてもよく、ボルト固定されているものでもよい。外周部材３１及び連結部材３２は、通常時において、上部架台４の底面に当接している。
【００２２】
上部架台４には、上下方向において下部側に配置された浮体である下部フロート７と、上部側に配置された浮体である上部フロート８とが設けられている。下部フロート７及び上部フロート８は、上下方向に離間して配置されている。下部フロート７と下部フロート８との間に、上下方向に延在する複数の支柱６が配置されている。上部架台４は、平面視においてガイドマスト２を中心として対象に形成されている。
【００２３】
複数の支柱６は、下部フロート７から上方に延びるように形成されている。複数の支柱６は、平面視において、例えば、下部架台３の支柱５と同じ位置に配置されている。支柱６の下端部は、下部フロート７に固定されている。
【００２４】
下部フロート７の内部には、浮力を生じさせるための空間が設けられている。平面視において、下部フロート７の中央には、ガイドマスト２を挿通させるための貫通孔７１が形成されている。本実施形態では、下部フロート７は、例えば正八角形を成すように形成されている。
【００２５】
上部フロート８の内部には、浮力を生じさせるための空間が設けられている。平面視において、上部フロート８の中央には、ガイドマスト２を挿通させるための貫通孔８１が形成されている。本実施形態では、上部フロート８は、例えば正八角形を成すように形成されている。
【００２６】
上部架台４には、ガイドマスト２を挿通させるガイドフレーム１１が形成されている。ガイドフレーム１１は、例えば円筒体として形成されている。ガイドフレーム１１の下端部は、下部フロート７の貫通孔７１に挿通されて、下部フロート７に固定されている。ガイドフレーム１１の上端部は、上下方向において、支柱６と同じ位置に配置されている。ガイドマスト２の内周面には、例えばゴム製の防舷材９が設けられている。ガイドマスト２の内周面には、ガイドマスト２の外周面と当接する部材として、防舷材９が適用されているが、その他の緩衝材でもよい。防舷材９は、ガイドフレーム１１に沿って所定の長さを有している。防舷材９は、上下方向に複数設けられていてもよい。
【００２７】
上部架台４は、図５に示すように、複数の支柱５の上端部を連結する外周部材４１を備えている。外周部材４１は、隣接する支柱６の上端部を連結している。本実施形態では、外周部材４１は、例えば、正八角形を形成し、この正八角形の角に対応して支柱６が配置されている。
【００２８】
また、上部架台４は、複数の支柱６の上端部とガイドフレーム１１とを各々連結する複数の連結部材４２を備えている。連結部材４２の一端側は、ガイドフレーム１１に固定され、連結部材４２の他端側は、支柱６の上端部に固定されている。連結部材４２は、平面視においてガイドフレーム１１から放射状に延びるように配置されている。外周部材４１及び連結部材４２は、同一の高さに配置されている。支柱６、外周部材４１、及び連結部材４２は、例えば、溶接によって固定されていてもよく、ボルト固定されているものでもよい。外周部材４１及び連結部材４２は、通常時において、上部フロート８の底面に当接している。
【００２９】
上部架台４の上部フロート８の天面は、避難デッキ１０として利用可能に構成されている。上部フロート８の周縁には、手摺１２などが設けられている。
【００３０】
上部架台４は、下部架台３上に置かれているだけであり、下部架台３に固定されていない。上部架台４は、下部架台３と分離されて浮上可能に構成されている。上部架台４の上部フロート８は、図５に示すように、上部架台４の下部フロート７上に、支柱６、外周部材４１、及び連結部材４２を介して、置かれているだけであり、下部フロート７に固定されていない。上部フロート８は、下部フロート７と分離されて、水面上を浮遊可能に構成されている。
【００３１】
津波避難設備１は、下部フロート７の最高位置を規制可能な最高位置規制部を備えている構成でもよい。例えば、下部フロート７と地盤１００とをワイヤー等で連結することで、下部フロート７の最高位置を規制してもよい。また、ガイドマスト２の外周に突起部を設け、上部フロート８の貫通孔８１は、突起部を通過可能な大きさに形成し、下部フロート７の貫通孔７１又はガイドフレーム１１は、突起部を通過できない大きさに形成してもよい。
【００３２】
また、上部フロート８は、ガイドマスト２または地盤１００とフレキシブル係留索１４（例えばロープ）によって連結された係留浮体として浮遊可能に構成されている。フレキシブル係留索１４としては、上部フロート８を連結可能な線状体であればよい。
【００３３】
上部フロート８には、非常装置として、無線機、非常灯、ＧＰＳ（Global Positioning System）などが搭載されていることが好ましい。
【００３４】
次に、このように構成された津波避難設備１の作用について説明する。津波避難設備１は、通常時において、図１に示すように、上部架台３上に下部架台４が配置されている。地震が発生した場合には、避難者は津波の襲来に備えて避難する。この際、避難者は、階段１３を利用して、上部フロート８の避難デッキ１０上に避難する。
【００３５】
図６（ａ）では、津波の襲来時の初期の状態における津波避難設備を示している。津波の先端部には、津波に巻き込まれた瓦礫、漂流物などが含まれている。津波避難設備１は、周囲より高いマウント部１００ｂ上に配置されているので、漂流物による衝突を緩和することができる。津波の先端部が津波避難設備１に直撃することによる衝撃を減少させることができる。
【００３６】
マウント部１００ｂを乗り越えた津波の先端部は、下部架台３の支柱５間を通り抜ける。これにより、津波の先端部の上部架台４への衝撃を緩和することができる。
【００３７】
図６（ｂ）では、津波の後続波により水位が上昇している状態における津波避難設備を示している。津波の先端部が通り抜けた後に、更に高い津波が襲来した場合には、水位の上昇に合わせて、上部架台４が下部フロート７の浮力によって浮上する。上部架台４は、下部架台３と離れて、ガイドマスト２に沿って浮上する。
【００３８】
津波避難設備１では、避難デッキ１０が上部フロート８の天面に設けられているので、下部フロート７が水を被っても、避難デッキ１０上の避難者への影響を防ぐことができる。また、上部架台４は、下部フロート７及び上部フロート８の浮力によって、浮上することができるので、上部架台４の傾きを抑えることができ、スムーズに浮上させることができる。上部架台４がガイドマスト２に引っ掛かることが防止される。
【００３９】
図６（ｃ）では、津波の後続波により水位が更に上昇し、上部架台がガイドマスト２の上端部まで浮上した状態の津波避難設備を示している。津波による水位が更に上昇した場合には、上部架台４はガイドマスト２に沿って更に浮上し、ガイドマスト２の上端部まで達する。このとき、上部架台４の下部フロート７は、最高位置規制部によって、最高位置が規制されているので、ガイドマスト２の高さよりも浮上しない。
【００４０】
図６（ｄ）では、津波の襲来により、ガイドマスト２を超えるような水位となった場合の津波避難設備を示している。ガイドマスト２の高さを超えるような想定外の津波が襲来した場合には、上部架台４の上部フロート８が、下部フロート７（上部架台本体）から離脱して、水面上を浮遊する。下部フロート７は、最高位置が規制され、上部フロート８がガイドマスト２と離れて浮遊する。
【００４１】
避難者は、上部フロート８の避難デッキ１０上に避難しているので、津波に流されることなく漂流することができる。また、上部フロート８は、フレキシブル係留索１４によって、下部架台３と連結されているので、遠くに流されることが防止されている。
【００４２】
また、上部フロート８には、無線機などの非常装置が搭載されているので、非常装置を用いて、避難者の位置を知らせて、救助を求めることができる。
【００４３】
このような津波避難設備１によれば、下部架台３は、地盤１００上に配置された複数の支柱５を有する構成であるので、支柱５の間を通るように水を通過させることができ、水位が低い状態において上部架台４への水及び漂流物による影響を防止することができる。従前の避難設備では、避難デッキが地盤と同じ高さに設置されているので、津波及び漂流物の影響を受けやすかった。本実施形態の津波避難設備１では、津波の先端部の影響を緩和することができる。
【００４４】
津波避難設備１の上部架台４では、上下方向に離間して下部フロート７と上部フロート８とを備えているので、下部フロート７と上部フロート８との間を通るように水を通過させることができ、上下のフロート７，８によって浮力を生じさせることができる。そのため、上部架台４の傾きを抑制して、円滑に浮上させることができる。
【００４５】
また、津波避難設備１では、上部フロート８が下部フロート７と分離されて、浮遊可能であるため、想定外の高さの津波の襲来を受けても、上部フロート８を分離し、上部フロートを漂流させることができる。その結果、避難者を好適に保護することができる。また、想定外の津波に備えて、ガイドマスト２を高くする必要がないので、津波避難設備１の建設コストを抑制することができる。また、避難者が上る階段の高さを抑えて、想定外の高さの津波に備えることができる。
【００４６】
以上、本発明をその実施形態に基づき具体的に説明したが、本発明は、上記実施形態に限定されるものではない。上記実施形態において、水害避難設備を津波避難設備として説明しているが、洪水などのその他の水害対策として、水害避難設備を利用してもよい。
【００４７】
上記実施形態では、上部架台４が下部架台３と離れて浮上する構成としているが、上部架台４が下部架台３と共に浮上する水害避難設備でもよい。
【００４８】
また、水害避難設備では、上部フロート８が下部フロート７と離れて、浮遊可能な構成となっているが、上下のフロート７，８が共に浮遊する構成でもよい。
【００４９】
また、上記実施形態では、水害避難設備が平面視において八角形に形成されているが、その他の形状でもよい。例えば、円形でもよい。
【符号の説明】
【００５０】
１…津波避難設備（水害避難設備）
２…ガイドマスト（ガイド柱部）
３…下部架台
４…上部架台
５…支柱（下部架台の支柱）
６…支柱（上部架台の支柱）
７…下部フロート
８…上部フロート
９…防舷材
１０…避難デッキ
１１…ガイドフレーム
１２…手摺
１３…階段
１４…フレキシブル係留索
３１，４１…外周部材
３２，４２…連結部材
７１，８１…貫通孔
１００…地盤
１０１，１０２…掘削孔。
【図１】
2014095228.tif 000003
【図２】
2014095228.tif 000004
【図３】
2014095228.tif 000005
【図４】
2014095228.tif 000006
【図５】
2014095228.tif 000007
【図６】
2014095228.tif 000008